(57)【特許請求の範囲】
【請求項１】
マイクロホンユニットと、
集音部を有し内部にマイクロホンユニットが設けられている筐体と、
前記集音部を覆って前記筐体に回転可能に被せられるキャップと、
を備えたマイクロホンであって、
前記キャップは複数の集音孔を有し、
前記複数の集音孔は前記キャップの軸線方向に対してそれぞれ異なる方向に開口すると共に、前記軸線方向に対して垂直な異なる平面上にそれぞれ位置し、前記マイクロホンユニットの音波導入部に連通して、
前記キャップが前記筐体に対して回転することで、前記マイクロホンの指向軸の向きを変更可能である、
ことを特徴とするマイクロホン。
【請求項２】
前記キャップには前記集音孔が２つ設けられている請求項１記載のマイクロホン。
【請求項３】
前記２つの集音孔の開口方向は１８０度異なる請求項２記載のマイクロホン。
【請求項４】
前記集音孔は前記キャップの内部から外部に向けて広がっている請求項１乃至３の何れかに記載のマイクロホン。
【請求項５】
前記キャップが有する前記集音孔は、前記マイクロホンユニットの集音軸に対し直角の方向に向けて形成されている請求項１乃至４の何れかに記載のマイクロホン。
【請求項６】
前記集音部を残して天井、壁面または机の天板に埋め込まれバウンダリマイクロホンとして用いられる請求項１乃至５の何れかに記載のマイクロホン。
【発明の詳細な説明】
【技術分野】
【０００１】
本発明は、指向軸の方向を外部から容易に変えることのできるマイクロホンに関する。
【背景技術】
【０００２】
指向性を有するマイクロホンを用いる場合、最適な集音を行えるよう、マイクロホンはその内部にあるマイクロホンユニットの指向軸が音源に向くように設置される。そして、マイクロホンユニットの指向軸はマイクロホンの前面に向けられていることが多いため、指向軸を音源に向けるときには、マイクロホンの前面が音源に向くように設置されるとともに、コードが音源の方向と反対側に引き出される（特許文献１参照）。
【０００３】
図５に、指向軸が前面に向けられたマイクロホンの従来例を示す。この従来のマイクロホン１’は、マイクロホン本体２の前端側に集音部２１が設けられ、後端側からはコード２２が引き出されている。集音部２１は、マイクロホン本体２の前端部に設けられている前側集音部２１ａと、その近傍の側壁に設けられている周辺集音部２１ｂにより構成されていて、指向軸Ｄ’がマイクロホン本体２前面に向けられている。
【０００４】
このようにコード２２が音源の方向とは反対側に引き出されるマイクロホン１’では、テレビなどの映像放送において、音源である話者の音声を集音するためにこのようなマイクロホンを使用する場合、マイクロホンの前面が話者の方に向く一方でコードが撮影機器側に長く引き出され、上記コードが映像に映り込んでしまい、映像の見栄えを損なっていた。ニュース番組などでデスク上にバウンダリマイクロホンを設置して使用する場合も同様に、バウンダリマイクロホンのハウジングの後端からコードが引き出され、このコードが映像に映り込むことがある。
【０００５】
そこで、上述したマイクロホンを用いる場合、配線を映像に映り込ませないようにするためには、音源側に向けてコードを配線することが求められる。
【先行技術文献】
【特許文献】
【０００６】
【特許文献１】特開２００６−１４８３２５号公報
【発明の概要】
【発明が解決しようとする課題】
【０００７】
そこで、マイクロホンユニットの指向軸の方向とコードの引出方向とが同じになるように、コードの引き出し方向を変えずに、マイクロホンユニットの向きを１８０度変えて取り付けることを可能にしたマイクロホンがある。
【０００８】
このようなマイクロホンにおいては、マイクロホンユニットがマイクロホン内部に固定されているため、その向きを変えるときには、筐体のネジを外し、マイクロホンユニットを主体とする内蔵部品を取り出す必要がある。この作業は煩雑であるとともに、マイクロホンユニットに触れなければならず、また、作業中にマイクロホンユニットの周囲にある電子基板や配線に作業者の手や器具が接触することもあるため、故障の原因となる恐れがある。
【０００９】
そこで、マイクロホンユニットの向きを変えずに、コード引出方向のみを任意に変えられるマイクロホンがある。このようなマイクロホンは、マイクロホンユニットに直接触れる必要が無いため、上述した故障を防ぐことができる。しかし、近年の携帯電話の普及等に伴う、マイクロホンに対する強い無線周波妨害（ＲＦＩ）耐性への要求を満たすためには筐体等へのかしめ構造等を採用することが好ましいが、このようなマイクロホンではかしめ構造を採用するのは難しい。
【００１０】
一方、マイクロホンにかしめ構造を採用すると、マイクロホンのコードを任意の方向に引き出すことのできる構成にすることができない。
【００１１】
また、マイクロホンの中には、天井や机に孔を開けて、埋め込まれて使用されるものがある。このようなマイクロホンは、指向軸が音源に向くようにして固定されるが、一度固定された後に指向軸の方向を変えることは非常に困難なものとなる。
【００１２】
本発明は、上記のような従来技術の問題点を解消すること、すなわち、マイクロホンユニットに触れることなく指向軸を変えることができ、かしめ構造等のＲＦＩ耐性対応構造を採用することも可能なマイクロホンを提供することを目的とする。
【課題を解決するための手段】
【００１３】
本発明に係るマイクロホンは、マイクロホンユニットと、集音部を有し内部にマイクロホンユニットが設けられている筐体と、集音部を覆って筐体に回転可能に被せられるキャップと、を備えたマイクロホンであって、キャップは複数の集音孔を有し、複数の集音孔はキャップの軸線方向に対してそれぞれ異なる方向に開口すると共に、軸線方向に対して垂直な異なる平面上にそれぞれ位置し、マイクロホンユニットの音波導入部に連通して、キャップが筐体に対して回転することで、マイクロホンの指向軸の向きを変更可能であることを最も主要な特徴とする。
【発明の効果】
【００１４】
本発明は、筐体に対するキャップの回転位置を変えるだけで、マイクロホンユニットに触れることなく指向軸を変えることができるため、壁面などに埋め込んでも指向軸の向きを容易に変えることができるとともに、かしめ構造等のＲＦＩ耐性対応構造を採用することも可能なマイクロホンを提供することができる。
【図面の簡単な説明】
【００１５】
【図１】本発明に係るマイクロホンの実施例を示す断面図である。
【図２】上記実施例中のキャップを示すもので、（Ａ）は縦断面図、（Ｂ）は（Ａ）のＡ−Ａ線に沿う断面図、（Ｃ）は（Ａ）のＢ−Ｂ線に沿う断面図である。
【図３】図１のマイクロホンの指向軸の向きの調整方法を示す断面図および指向特性線図である。
【図４】図１のマイクロホンを壁面に埋め込みバウンダリマイクロホンとして用いる場合を示す断面図である。
【図５】従来のマイクロホンを示す側面図である。
【発明を実施するための形態】
【００１６】
以下、本発明に係るマイクロホンの実施例について図面を参照しながら説明する。
【００１７】
図１に示すように、本発明に係るマイクロホン１は、マイクロホン本体２と、キャップ３を備えている。
【００１８】
マイクロホン本体２は、図４に示す従来のマイクロホン１’と同様に構成されている。マイクロホン本体２は、その略円柱状の筐体内部にマイクロホンユニット（不図示）を備えるとともに、筐体の先端部分に、外部からの音声を筐体内部のマイクロホンユニットに導くための集音部２１が設けられている。また、集音部２１が設けられている側と反対側の端部からは、コード２２が引き出されている。集音部２１は、マイクロホン本体２の前端部に設けられている前側集音部２１ａと、その近傍の側壁に設けられている周辺集音部２１ｂにより構成されている。マイクロホンユニットの電気音響変換方式は任意で、例えば、コンデンサマイクロホンユニットを採用してもよい。マイクロホンユニットの指向特性は単一指向性である。
【００１９】
キャップ３は、マイクロホン本体２の集音部２１の前面を覆ってマイクロホン本体２に回転可能に被せられる、中空の円柱形をした、有底の筒状の部材である。キャップ３には、外部からの音声をマイクロホン本体２の集音部２１へと導くための集音孔３１、および、マイクロホン本体２を挿入するための挿入穴３２が設けられている。本実施例においては、集音孔３１は、２つの集音孔３１ａ、３１ｂにより構成されている。
【００２０】
集音孔３１ａ、３１ｂはそれぞれ異なる方向に開口し、挿入穴３２を経てマイクロホンユニットの音波導入部に連通している。集音孔３１ａ、３１ｂはそれぞれキャップ３の軸線方向から見て１８０度異なる位置にあり、軸線方向に垂直な異なる平面上に位置し、マイクロホン本体２の集音軸Ｄに対してほぼ垂直の方向に向けて形成されている。
【００２１】
集音孔３１ａは、他の集音孔３１ｂよりもマイクロホン１の先端側に位置し、キャップ３の外部から、マイクロホン本体２の前側集音部２１ａへと音声を導くように、挿入穴３２の底部周辺に連通するように形成されている。図２（Ｂ）にキャップ３の軸線方向に垂直な平面による集音孔３１ａ部分のＡ−Ａ断面図を示す。図２（Ｂ）に示すように、集音孔３１ａは、キャップ３の内部から外部に向かうに従い開口が広くなるように形成されていて、広範囲にわたる集音を可能としている。
【００２２】
集音孔３１ｂは、集音孔３１ａよりもマイクロホン１の後端側に位置し、キャップ３の外部から、マイクロホン本体２の周辺集音部２１ｂへと音声を導くように、挿入穴３１の開口部近傍に連通するように形成されている。図２（Ｃ）にキャップ３の軸線方向に垂直な平面による集音孔３１ｂ部分のＢ−Ｂ断面図を示す。図２（Ｃ）に示すように、集音孔３１ｂは、キャップ３の内側から外側に向かうに従い開口が広くなるように形成されていて、広範囲にわたる集音を可能としている。
【００２３】
上述したキャップ３を備えたマイクロホン１は、図２（Ａ）に示すように、キャップ３の集音孔３１ａの入口付近中央部に音響中心点を有している。この音響中心点を前側音響端子Ｔ１という。同様に、集音孔３１ｂの入口付近中央部に音響中心点を有していて、この音響中心点を後側音響端子Ｔ２という。これらの音響端子Ｔ１、Ｔ２の音圧差によってマイクロホン１の指向軸が決まり、この指向軸は上記音響端子Ｔ１、Ｔ２を結ぶ線の方向となる。上記音響端子Ｔ１、Ｔ２は、マイクロホン１の長手方向において前後にずれているため、マイクロホン１の指向軸はマイクロホン１のもともとの指向軸に対して正確に直交するものではないが、ずれが小さくなれば直交しているとみなせる。よって、キャップ３を備えたマイクロホン１の指向軸は、ほぼ図１の矢印Ｄで示す方向となっている。この指向軸は、本実施例においては集音孔３１ａの向きに大きく依存する。そのため、図３に示すように、キャップ３を回転することで、容易に集音孔３１ａの向きを変え、指向軸の向きを変えることができる。
【００２４】
なお、マイクロホンユニットが単一指向性であるとき、キャップ３の直径を変えて上記前後の音響端子Ｔ１、Ｔ２を結ぶ直線距離ｄ（図２（Ａ）参照）を小さくした場合は単一指向性に近くなり、上記ｄを大きくした場合は鋭指向性に近くなる。
【００２５】
また、発明においては集音孔３１の位置を１つ又は３つ以上としても良く、集音孔３１の位置を適宜調整してもよい。このように適宜調整可能とすることで、指向性の調整の自由度を高めることができる。
【００２６】
本発明に係るマイクロホンは、天井や壁面、机の天板等に埋め込んで使用される埋め込み型のバウンダリマイクロホンとしても好適に用いることができる。
【００２７】
このようなバウンダリマイクロホンの例を図４に示す。図４において、マイクロホン１は上述した実施例に係るマイクロホン１と同じものであり、キャップ３を壁面４の外部に出しつつ、壁面４の挿入穴４１内に挿入された状態で固定されている。換言すれば、マイクロホン１は、マイクロホン本体２の前記集音部２１を残して壁面４に埋め込まれて、バウンダリマイクロホンとして機能するようになっている。
【００２８】
従来の埋め込み型のバウンダリマイクロホンでは、一度固定された後に指向軸の方向を変えることは非常に困難であった。しかし、本発明に係るバウンダリマイクロホンは、キャップ３を回転させることで、指向軸の向きを容易に変えることができる。
【００２９】
また、本発明に係るマイクロホンは、指向軸の向きを調整する場合にマイクロホン本体内部のマイクロホンユニットの向きを変える必要がないため、かしめ構造等、マイクロホン本体のＲＦＩ耐性対応構造を採用することも可能である。
【符号の説明】
【００３０】
１、１’  マイクロホン
２  マイクロホン本体
２１  集音部
２１ａ  前側集音部
２１ｂ  周辺集音部
２２  コード
３  キャップ
３１  集音孔
３２  挿入穴
４  壁面
４１  挿入穴
【図１】
0005546475.tif 000002
【図２】
0005546475.tif 000003
【図３】
0005546475.tif 000004
【図４】
0005546475.tif 000005
【図５】
0005546475.tif 000006